【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
計算機において個人が見ている任意のウェブ・ページから少なくとも１つのエンティティを抽出する動作と、
ソーシャル・ネットワーキング・アプリケーションの使用によって、前記少なくとも１つのエンティティを、前記個人のソーシャル・ネットワークの会員により生成された複数のメッセージのコンテンツと比較する動作と、
前記少なくとも１つのエンティティと前記複数のメッセージのコンテンツとの比較に少なくとも部分的に基づいて、前記複数のメッセージにおいて少なくとも１つのメッセージを特定する動作と、
前記少なくとも１つのエンティティと共に、前記少なくとも１つのメッセージを前記ウェブ・ページに表示させる動作と、
のコンピューター実行動作を含む、方法。
【請求項２】
請求項１記載の方法であって、更に、
前記メッセージを前記ウェブ・ページに表示する前に、前記少なくとも１つのメッセージに関係した前記ウェブ・ページにおけるテキストを、強調させる動作と、
前記メッセージを表示する前に、前記個人が、前記強調されたテキストに関心を示す入力ジェスチャーを行うことを検出する動作と、
を含む、方法。
【請求項３】
請求項１記載の方法において、前記少なくとも１つのエンティティを、前記個人のソーシャル・ネットワークの会員により生成された複数のメッセージのコンテンツと比較する動作は、前記少なくとも１つのエンティティを、前記個人の前記ソーシャル・ネットワークの前記会員により生成された前記複数のメッセージのコンテンツから抽出されたエンティティと比較することを含む、方法。
【請求項４】
請求項１記載の方法において、前記少なくとも１つのメッセージが、前記ウェブ・ページにおいてインライン・ポップアップ・ウィンドウとして表示される、方法。
【請求項５】
請求項１記載の方法であって、更に、
フィールドまたはボタンのうちの少なくとも１つを、前記ウェブ・ページにおいて表示される前記少なくとも１つのメッセージと共に表示させる動作を含み、前記フィールドまたはボタンのうちの少なくとも１つが、前記個人からの入力を受け取るように構成された、方法。
【請求項６】
請求項５記載の方法であって、更に、
前記フィールドにおいて前記個人から回答メッセージを受け取る動作と、
前記回答メッセージを前記ソーシャル・ネットワーキング・アプリケーションに送らせる動作と、
を含む、方法。
【請求項７】
請求項１記載の方法において、前記複数のメッセージは、企業内で少なくとも部分的に動作するソーシャル・ネットワーキング・アプリケーションからのものであり、前記メッセージは、前記個人の接触者によりポストされ、前記個人の前記接触者と前記個人とは前記企業を介して関係付けられた、方法。
【請求項８】
請求項１記載の方法において、前記少なくとも１つのエンティティを前記任意のウェブ・ページから抽出する動作が、
前記ウェブ・ページからキーワードを選択する動作と、
前記キーワードをターム頻度データーと比較する動作であって、前記ターム頻度データーが、前記キーワードの使用頻度を示す、動作と、
前記キーワードを停止リストと比較する動作であって、前記停止リストが、抽出することを禁止されているキーワードを含む、動作と、
前記キーワードの前記ターム頻度データーとの比較、および前記キーワードの前記停止リストとの比較に少なくとも部分的に基づいて、前記任意のウェブ・ページから前記少なくとも１つのエンティティを抽出する動作と、
を含む、方法。
【請求項９】
請求項１記載の方法において、前記少なくとも１つのエンティティを前記任意のウェブ・ページから抽出する動作が、
訓練辞書にアクセスする動作と、
前記訓練辞書の内容に少なくとも部分的に基づいて、前記キーワードの意味を判定する動作と、
を含む、方法。
【請求項１０】
請求項１記載の方法において、前記複数のメッセージにおいて前記少なくとも１つのメッセージを特定する動作が、
前記メッセージをポストした人によって前記複数のメッセージが生成されて以来経過した時間量、
他のメッセージまたは前記ウェブ・ページのコンテンツのうちの少なくとも１つに関して、前記複数のメッセージのコンテンツの相違、
前記個人が既に前記複数のメッセージを読んだか否か、
前記個人が前記複数のメッセージを読んで以来経過した時間量
前記個人によって前記複数のメッセージに与えられた明示的フィードバック、
メッセージ・コンテンツのウェブ・ページに対する関連性、
前記個人が前記複数のメッセージに対応するリンクを選択したか否か、または
前記複数のメッセージをポストした人の識別、
のパラメータのうち少なくとも１つに少なくとも部分的に基づいて、メッセージを格付けする動作を含む、方法。
【請求項１１】
請求項１記載の方法であって、更に、前記ウェブ・ページに前記少なくとも１つのメッセージと共に広告を表示することを含む、方法。
【請求項１２】
請求項１１記載の方法において、前記広告は、前記少なくとも１つのメッセージをポストした人によってされた推薦に少なくとも部分的に基づいて選択される、方法。
【請求項１３】
請求項１記載の方法であって、更に、
前記少なくとも１つのメッセージにおいて、ハイパーリンクを前記個人に対し表示させる動作を含み、前記ハイパーリンクが、前記個人によって選択されたときに、前記個人をサーチ・エンジンに導くように構成されており、前記ハイパーリンクが、更に、前記少なくとも１つのメッセージのコンテンツに少なくとも部分的に基づいて、前記サーチ・エンジンにサーチを実行させるように構成された、方法。
【請求項１４】
プロセッサーと、
前記プロセッサーによって実行される複数のコンポーネントを含むメモリーと、
を含むシステムであって、
前記複数のコンポーネントは、
個人が見ている任意のウェブ・ページから少なくとも１つのエンティティを抽出するコンテンツ分析コンポーネントと、
前記任意のウェブ・ページからの前記少なくとも１つのエンティティと、少なくとも１つのソーシャル・ネットワーキング・アプリケーションを介してポストされた複数のメッセージのコンテンツから抽出された複数のエンティティとの比較を行う比較コンポーネントと、
前記比較コンポーネントによって引き受けられた比較に少なくとも部分的に基づいて、前記複数のメッセージから少なくとも１つのメッセージを選択する識別コンポーネントと、
前記識別コンポーネントによって選択された少なくとも１つのメッセージを、前記少なくとも１つのエンティティと共に、前記ウェブ・ページにおいて表示させる表示コンポーネントと、
を含む、システム。
【請求項１５】
請求項１４記載のシステムであって、前記複数のコンポーネントが、更に、前記個人が前記少なくとも１つのエンティティを前記ウェブ・ページにおいて選択したことを検出する検出コンポーネントを含み、前記表示コンポーネントが、前記個人が前記少なくとも１つのエンティティを前記ウェブ・ページにおいて選択したことを前記検出コンポーネントが検出したときに、前記少なくとも１つのメッセージをインライン・ポップアップとして表示させるように構成された、システム。
【請求項１６】
請求項１５記載のシステムにおいて、前記表示コンポーネントが、更に、前記個人から前記少なくとも１つのメッセージに対する回答を受け取るように構成されたフィールドを、前記インライン・ポップアップにおいて生成するように構成された、システム。
【請求項１７】
請求項１６記載のシステムであって、前記複数のコンポーネントが、更に、前記回答を前記個人から受け取り、前記ソーシャル・ネットワーキング・アプリケーションを介して前記回答をポストさせる回答送信コンポーネントを含む、システム。
【請求項１８】
請求項１４記載のシステムであって、前記複数のコンポーネントが、更に、前記ウェブ・ページから抽出された前記少なくとも１つのエンティティまたは前記少なくとも１つのメッセージのコンテンツのうち１つ以上に少なくとも部分的に基づいて、前記メッセージと共に広告を表示させる広告選択コンポーネントを含む、システム。
【請求項１９】
請求項１４記載のシステムであって、前記複数のコンポーネントが、更に、前記少なくとも１つのメッセージと共に表示するハイパーリンクを生成するハイパーリンク生成コンポーネントを含み、前記ハイパーリンクが、前記個人によって選択されたときに、前記個人をサーチ・エンジンに導くように構成されており、前記ハイパーリンクが、更に、前記ウェブ・ページから抽出された前記少なくとも１つのエンティティに関連するサーチを、前記サーチ・エンジンに実行させるように構成された、システム。